(57)【要約】【課題】挟着具の挟着片を波形屋根の頂部と山座との間に挟着片を挿入させることによっても、上向きボルトのボルト孔を塞ぐ防水パッキンの防水機能が低下することがなく、かつ挟着具を強固に固定できる屋根上取付具を提供する。【解決手段】屋根上取付具Ａの挟着片１３の先端には、防水パッキンＣ１との抵触を回避したパッキン収容凹部１４ａが形成されており、一対の挟着片１３を近接させて、挟着片１３の先端を波形屋根Ｙの頂部Ｙ１ａと、山座Ｃとの間に挿入させ、防水パッキンＣ１をパッキン収容凹部１４ａに収容させるようにして、波形屋根Ｙに固定されるようになっている。【選択図】図１
2011111745.tif 000002
【特許請求の範囲】
【請求項１】
先端同士が対向する一対の挟着片を下部に設けた略門形の挟着具を備えてなり、該挟着具の一対の挟着片を波形屋根の頂部に固定して取り付けられる屋根上取付具において、
上記波形屋根の頂部には、その上面より防水パッキンを内装した山座を介して上向きボルトが突出しており、
上記挟着片の先端には、上記防水パッキンとの抵触を回避したパッキン収容凹部が形成されており、
上記一対の挟着片を近接させて、該挟着片の先端を上記波形屋根の頂部と、上記山座との間に挿入させ、上記防水パッキンを上記パッキン収容凹部に収容させるようにして、波形屋根に固定するようにしたことを特徴とする屋根上取付具。
【請求項２】
請求項１において、
上記挟着具は、上記挟着片を下端に折曲形成させた脚片と、該脚片を両端に有した上板とを含んで一体形成され、一対の脚片を緊締することで一対の挟着片を近接させる構造としている屋根上取付具。
【請求項３】
請求項１において、
上記挟着具は、上記挟着片がそれぞれの下端に折曲形成された一対の挟着部材を開閉自在に支点連結して構成されている屋根上取付具。
【請求項４】
請求項３において、
上記挟着部材は、中央にボルト貫通孔が開設され、該ボルト貫通孔から一方の側端縁に至る切り溝が形成された上板と、該上板の基端より下方に延びる脚片と、該脚片の下端から上記上板と略同一の方向に延びる上記挟着片とより構成されており、
上記挟着具は、上記２つの挟着部材の上板同士を相対向させた状態で、相互の上板の先端が相手の上板の基端の下に配されるように、上記上板の切り溝同士を相互差し込みして上記両上板を揺動自在に噛み合わせて上記ボルト貫通孔同士を一致させ、その一致させたボルト貫通孔に挟着具締付ボルトを通し、締付ナットを螺合することで上記挟着片の先端同士を近接させる構造としている屋根上取付具。
【発明の詳細な説明】
【技術分野】
【０００１】
本発明は、波形屋根の頂部に取り付けられる屋根上取付具に関する。
【背景技術】
【０００２】
一般に、折板屋根（角波形屋根）、丸波形屋根等の波形屋根の上面に、例えばテレビアンテナや空調機器、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
また、山部と谷部とが交互に連続してなる波形屋根における山部の頂部で、隣接する屋根材同士を重ねてなる重合部を上向きボルトとナットの螺着によって連結、固定した構造のものでは、重合部を屋根の下方より貫通して屋根上に突出された、屋根材連結のための上向きボルトの軸部を、先端が相対向する挟着片で挟み込んで固定する構造とした屋根上取付具も提案されている（例えば、特許文献２参照）。
【０００４】
特許文献２に記載された屋根上取付具は、挟着具の両脚片を横方向に貫通する緊締用ボルト、ナットで両脚片を緊締して、両脚片のそれぞれの下端から対向するように延びた両挟着片を山座の下方に挿入させて上向きボルトに挟着させる構造となっている。より具体的には、挟着片の先端には、湾状の挟持縁（凹部）が形成されており、対向する挟持縁にて防水パッキンを挟持して締め付ける構造となっている。なお、この挟持縁には凹部側に下降する斜面が形成されており、凹部に向けて尖鋭となった挟持縁を防水パッキンの下方に入り込ませながら、防水パッキンを傷つけないように周囲から押圧する構成となっている。
【０００５】
このような構成であるから、挟着片が山座に係止されるとともに、挟持縁が防水パッキンを周囲より押圧して密着した状態となるので、屋根上取付具が外れるおそれはほとんどない。
【先行技術文献】
【特許文献】
【０００６】
【特許文献１】特許第３３６８３７４号
【特許文献２】特開２００９−１５６０１９号
【発明の概要】
【発明が解決しようとする課題】
【０００７】
しかしながら、防水パッキンは頂部と山座との間に挟み込まれ上向きボルトで上下より締め付けられることで防水作用を発揮するものであるのに、同文献技術のように防水パッキンを周囲から締め付けてしまえば、防水パッキンが圧縮変形して防水機能が低下してしまうおそれがある。また、挟持縁の上面を斜面にして、凹部に向けて尖鋭となった挟持縁が防水パッキンの下方に入り込む構成にすることで真横からの直接的な押圧を避ける工夫がなされているが、挟持縁が防水パッキンの下方に入り込むことで、防水パッキンの周端部が挟持縁によって屋根上面から持ち上げられてしまい、その部分に水が浸入する可能性がある。
【０００８】
また、同文献の屋根上取付具は３種以上の部材を組み合わせてなるため（同文献の図４等参照）、それらが動作するうえで設けられたあそびに起因して、対向する挟持縁同士がずれた状態で防水パッキンを挟持する可能性があり、そのため防水パッキンが局部的に変形したり傷ついたりするおそれもある。
【０００９】
本発明は、このような事情を考慮して提案されたもので、その目的は、挟着具の挟着片を波形屋根の頂部と山座との間に挿入させることによっても、上向きボルトのボルト孔を塞ぐ防水パッキンの防水機能が低下することがなく、かつ挟着具を強固に固定できる屋根上取付具を提供することにある。また、防水パッキンが横方向からの押圧によって変形したり傷ついたりしないようにすることも目的に含まれる。
【課題を解決するための手段】
【００１０】
上記目的を達成するために、請求項１に記載の屋根上取付具は、先端同士が対向する一対の挟着片を下部に設けた略門形の挟着具を備えてなり、挟着具の一対の挟着片を波形屋根の頂部に固定して取り付けられる屋根上取付具において、波形屋根の頂部には、その上面より防水パッキンを内装した山座を介して上向きボルトが突出しており、挟着片の先端には、防水パッキンとの抵触を回避したパッキン収容凹部が形成されており、一対の挟着片を近接させて、挟着片の先端を波形屋根の頂部と、山座との間に挿入させ、防水パッキンをパッキン収容凹部に収容させるようにして、波形屋根に固定するようにしたことを特徴とする。
【００１１】
請求項２に記載の屋根上取付具では、挟着具が挟着片を下端に折曲形成させた脚片と、脚片を両端に有した上板とを含んで一体形成され、一対の脚片を緊締することで一対の挟着片を近接させる構造としている。
【００１２】
請求項３に記載の屋根上取付具では、挟着具は、挟着片がそれぞれの下端に折曲形成された一対の挟着部材を開閉自在に支点連結して構成されている。
【００１３】
請求項４に記載の屋根上取付具では、挟着部材は中央にボルト貫通孔が開設され、ボルト貫通孔から一方の側端縁に至る切り溝が形成された上板と、上板の基端より下方に延びる脚片と、脚片の下端から上記上板と略同一の方向に延びる挟着片とより構成されており、挟着具は２つの挟着部材の上板同士を相対向させた状態で、相互の上板の先端が相手の上板の基端の下に配されるように、上板の切り溝同士を相互差し込みして両上板を揺動自在に噛み合わせてボルト貫通孔同士を一致させ、その一致させたボルト貫通孔に挟着具締付ボルトを通し、締付ナットを螺合することで挟着片の先端同士を近接させる構造としている。
【発明の効果】
【００１４】
請求項１に記載の屋根上取付具によれば、挟着具を波形屋根に固定する際には、一対の挟着片を近接させて、挟着片の先端を波形屋根の頂部と、山座との間に挿入させ、防水パッキンを挟着片の先端に形成したパッキン収容凹部に収容させるようにしているので、山座の下方に挿入された挟着片が防水パッキンを押圧することを回避できる。その結果、防水パッキンが変形、損傷することを防止できるとともに、防水機能が低下することも防止できる。
【００１５】
また、挟持具の挟着片を山座に引っ掛け係止する装着構造であるため、屋根上取付具は上向きボルトから外れることなく、波形屋根に強固に固定される。
【００１６】
請求項２に記載の屋根上取付具によれば、挟着具が挟着片を下端に折曲形成させた脚片と、脚片を両端に有した上板とを含んで一体形成されているので、挟着具を頑丈かつシンプルな形状に構成できる。また、一体形成であるため、両挟着片間でずれが発生することはなく、そのため防水パッキンが局部的に変形したり傷ついたりすることはない。
【００１７】
請求項３に記載の屋根上取付具によれば、挟着具は、挟着片がそれぞれの下端に折曲形成された一対の挟着部材を開閉自在に支点連結して構成されているため、力点を操作することで作用点である挟着片を動作させることができ、その結果、簡易な操作で挟着片を上向きボルトに挟着させることができる。
【００１８】
請求項４に記載の屋根上取付具によれば、挟着具は、２つの挟着部材の上板同士を相対向させた状態で、相互の上板の先端が相手の上板の基端の下に配されるように、上板の切り溝同士を相互差し込みして両上板を揺動自在に噛み合わせてボルト貫通孔同士を一致させ、その一致させたボルト貫通孔に挟着具締付ボルトを通し、締付ナットを螺合することで挟着片の先端同士を近接させる構造としているので、２枚重なった上板を挟着具締付ボルトと締付ナットで上下方向に締め付けるだけで容易に挟着片を近接させて上向きボルトに挟着させることができる。特に、締付ナットを上板の上面側に配するようにすれば、さらに締め付け操作を簡単に行える。
【図面の簡単な説明】
【００１９】
【図１】本発明に係る屋根上取付具の第１実施形態の説明図であり、屋根上取付具を波形屋根へ取り付ける前の状態を示した斜視図である。
【図２】（ａ）、（ｂ）は、同屋根上取付具の施工状態を示す部分断面正面図である。
【図３】（ｃ）、（ｄ）は、同屋根上取付具の施工状態を示す部分断面正面図である。
【図４】同屋根上取付具の他の施工例を示す斜視図である。
【図５】同施工例における同屋根上取付具の波形屋根への取り付け後を示す部分断面正面図である。
【図６】本発明に係る屋根上取付具の第２実施形態の説明図であり、屋根上取付具を波形屋根へ取り付ける前の状態を示した分解斜視図である。
【図７】同屋根上取付具の分解斜視図である。
【図８】（ａ）、（ｂ）は、同屋根上取付具の施工状態を示す部分断面正面図である。
【図９】（ｃ）、（ｄ）は、同屋根上取付具の施工状態を示す部分断面正面図である。
【図１０】同屋根上取付具の他の施工例を示す斜視図である。
【図１１】同施工例における同屋根上取付具の波形屋根への取り付け後を示す部分断面正面図である。
【図１２】（ａ）、（ｂ）は、本発明に係る屋根上取付具の第３実施形態を示す概略説明図である。
【図１３】挟着片の先端に形成したパッキン収容凹部の他例を示す図で、挟着片の先端と防水パッキンとの関係を示した概略平面図である。
【発明を実施するための形態】
【００２０】
以下に、本発明に係る屋根上取付具の実施の形態について、図面とともに説明する。
【００２１】
図１は、本発明に係る屋根上取付具の第１実施形態の説明図であり、屋根上取付具を波形屋根へ取り付ける前の状態を示した斜視図である。図２（ａ）、（ｂ）および図３（ｃ）、（ｄ）は、図１で示した屋根上取付具の施工状態を示す部分断面正面図である。
【００２２】
なお、図２（ａ）は、屋根上取付具Ａを波形屋根に取り付ける前の状態を示す部分断面正面図、図２（ｂ）は、屋根上取付具Ａの波形屋根の上向きボルトへの取り付け途中の状態を示す部分断面正面図、図３（ｃ）は、屋根上取付具Ａを波形屋根の上向きボルトに取り付けた状態を示す部分断面正面図、図３（ｄ）は、取り付けた屋根上取付具Ａに各種機器・部材類Ｅをさらに取り付けた状態を示す部分断面正面図を各々示している。
【００２３】
以下、詳説する。
【００２４】
この屋根上取付具Ａが取り付けされる波形屋根としては、図例として示した折板屋根Ｙ（角波形屋根）や丸波形屋根が挙げられる。また、屋根の素材としては、金属や合成樹脂、セメント系等のものが適用できる。
【００２５】
図例として示した折板屋根Ｙは、山部Ｙ１と谷部Ｙ２が交互に連続する屋根であって、複数の折板屋根材を側端縁の山部Ｙ１の頂部Ｙ１ａで重合し、その重合部で上向きボルトＢとナットＢ２の螺着によって連結した重ね式接合構造となっている。また、ボルト孔からの水の浸入を防止するために、ナットＢ２と頂部Ｙ１ａとの間に防水パッキンＣ１が取り付けられ、さらに、ナットＢ２と防水パッキンＣ１との間に防水パッキンＣ１を覆う山座Ｃが設けられている。
【００２６】
また、折板屋根Ｙの裏側には、正面視で折板屋根Ｙと略同形状をなす、ボルト止めのための支持金具Ｙ３が取り付けられている。なお、屋根上取付具Ａを取り付けるための上向きボルトＢの取付位置は隣接する折板屋根材の接合部に限らず、他の頂部に支持金具Ｙ３を用いて上向きボルトＢを取り付けてもよい。
【００２７】
この屋根上取付具Ａは、金属板または硬質樹脂板よりなり、折板屋根Ｙの頂部Ｙ１ａより上方に突出した重合部連結用の上記上向きボルトＢに挟着して、取り付け、固定する構造となっている。
【００２８】
具体的には、屋根上取付具Ａは、上板１１と、その両端から下方に延びた一対の脚片１２と、脚片１２のそれぞれの下端から、先端が相対向するように折曲形成された挟着片１３とが一体形成された、略門形の挟着具１により構成され、両脚片１２を緊締して、両挟着片１３の先端を相互に近接させて、上向きボルトＢに挟着させる構造となっている。この両脚片１２の緊締は、対向する両脚片１２に開設された軸孔１２ａに貫通された緊締用ボルト２５と、緊締用ナット２６との螺合によってなされる。また、上板１１の中央には、上向きボルトＢと同様の剣先ボルト３等を立設し、各種機器・部材類Ｅ（図３（ｄ）参照）を取り付け可能にしている。
【００２９】
この挟着片１３の先端は、折板屋根Ｙの頂部Ｙ１ａと、山座Ｃとの間に挿入されて係止される係止部１４を構成しており、その係止部１４には、挟着片１３が頂部Ｙ１ａと、山座Ｃとの間に挿入されたときに防水パッキンＣ１との抵触を回避したパッキン収容凹部１４ａが形成されている。
【００３０】
なお、挟着片１３は上向きボルトＢに挟着したときに係止部１４の先端同士が接触するものが望ましいが、多少の隙間が開いてもよく、少なくとも山座Ｃに引っ掛かるように係止するものであればよい。
【００３１】
また、パッキン収容凹部１４ａは挟着片１３と防水パッキンＣ１との抵触を防止するものであり、図３（ｃ）の破線で囲んだ山座Ｃ部分の拡大平面図に示すように、パッキン収容凹部１４ａの内縁と、防水パッキンＣ１の周縁との間に隙間Ｔができるほうが望ましいが、防水パッキンＣ１が押圧によって弾性収縮した状態が保持されたり、損傷したりしない程度であれば多少の接触は許容される。
【００３２】
このような挟着片１３の構造によれば、挟着片１３の先端に配された係止部１４が山座Ｃの下方に入り込むようになっているため、いったん係止してしまえば、挟着具１を上方より引っ張ったり左右から押圧したりした程度では外れることはない。
【００３３】
また、係止部１４にはパッキン収容凹部１４ａが形成されているので、防水パッキンＣ１が横方向からの挟着片１３（係止部１４）の押圧によって変形、損傷するおそれがなく、よって、防水パッキンＣ１の防水機能が低下することはない。
【００３４】
なお、山座Ｃと頂部Ｙ１ａとの間への挟着片１３の挿入は、圧入であってもよいが、防水パッキンＣ１が挟着動作によってなるべく変形しないようにするために、山座Ｃ、頂部Ｙ１ａ間が拡開されない程度の挿入であることが望ましい。
【００３５】
以上のように構成した本発明の屋根上取付具Ａは、以下の要領で折板屋根Ｙに取り付けて使用する。
【００３６】
まず、両脚片１２の軸孔１２ａの一方から緊締用ボルト２５の軸部２５ａを貫通させ、緊締用ボルト２５の先端側から緊締用ナット２６を軽く締めて仮止め状態にしたうえで、折板屋根Ｙに立設された上向きボルトＢの上方から、両挟着片１３の間隙Ｓを通じて上向きボルトＢを嵌挿する（図２（ａ）参照）。
【００３７】
次に、仮止め状態にしていた緊締用ボルト２５および緊締用ナット２６を緊締すると、この締め付け力によって両脚片１２が近接して、両挟着片１３も互いに近接し、図２（ｂ）の破線で囲んだ山座Ｃ部分の拡大平面図に示すように、これらの挟着片１３の先端部（係止部１４）は頂部Ｙ１ａと山座Ｃとの間に挿入されて、山座Ｃに引っ掛け係止した状態となり、さらに挿入されて係止部１４の先端が相互接触する状態となる（図２（ｂ）、図３（ｃ）参照）。
【００３８】
このとき、の係止部１４同士の近接によって、パッキン収容凹部１４ａが合体して１つの空間を形成し、その空間に防水パッキンＣ１が配されることとなる（図３（ｃ）の拡大平面図参照）。
【００３９】
こうして折板屋根Ｙに取り付けた屋根上取付具Ａの上板１１の上方には、上板１１に立設された剣先ボルト３等によって各種機器・部材類Ｅを取り付けることができる（図３（ｄ）参照）。
【００４０】
以上、本実施形態で説明した通り、本発明の屋根上取付具Ａによれば、係止部１４により山座Ｃに引っ掛け係止できる構造となっているため、挟着片１３が外力によって上向きボルトＢから外れることを確実に防止することができる。
【００４１】
さらに、挟着具１は、挟着片１３を下端に折曲形成させた脚片１２と、脚片１２を両端に有した上板１１とを含んで一体形成されているため、挟着具１を頑丈かつシンプルな形状に構成できる。また、一体形成であるため、挟着片１３間でずれが発生する可能性も低い。そのため防水パッキンＣ１が局部的に変形したり傷ついたりすることはない。
【００４２】
図４は、同屋根上取付具Ａの他の施工例を示す斜視図であり、図５は、同施工例における同屋根上取付具Ａの折板屋根Ｙへの取り付け後を示す部分断面正面図である。
【００４３】
ここで、図１〜図３と共通する部位については、同一の符号を付して、重複する説明を省略し、以下では、相異する点についてのみ説明する。
【００４４】
すなわち、本施工例では、図１〜図３で示した屋根上取付具Ａを用いて、折板屋根Ｙの連結構造として、折板屋根Ｙの上面に断面略円状に突出された丸ハゼ型のハゼ部Ｄによって連結されたものについて示している。なお、折板屋根Ｙの上面に断面略Ｌ状に突出された角ハゼ等についても同様であるため、角ハゼ等の説明については省略する。
【００４５】
具体的には、本発明の屋根上取付具Ａをハゼ部Ｄに取り付ける場合には、挟着片１３の係止部１４を、折板屋根Ｙのハゼ部Ｄに形成された脚部Ｄ１に挟着させて取り付けることとなる。
【００４６】
したがって、この屋根上取付具Ａは上向きボルトＢに挟着させるための係止部１４を有した構造であるが、ハゼ式接合により頂部Ｙ１ａに形成されたハゼ部Ｄに対しても、問題なく装着することができる。もちろん、ハゼ部Ｄがあるため、屋根上取付具Ａが外れるおそれはない。
【００４７】
ついで、第２実施形態について説明する。
【００４８】
図６は、本発明に係る屋根上取付具の第２実施形態の説明図であり、屋根上取付具Ａを波形屋根へ取り付ける前の状態を示した斜視図である。図７は、同屋根上取付具の分解斜視図である。図８（ａ）、（ｂ）および図９（ｃ）、（ｄ）は、図６で示した屋根上取付具の施工状態を示す部分断面正面図である。
【００４９】
なお、図８（ａ）は、屋根上取付具Ａを波形屋根に取り付ける前の状態を示す部分断面正面図、図８（ｂ）は、屋根上取付具Ａの波形屋根の上向きボルトへの取り付け途中の状態を示す部分断面正面図、図９（ｃ）は、屋根上取付具Ａを波形屋根の上向きボルトＢに取り付けた状態を示す部分断面正面図、図９（ｄ）は、取り付けた屋根上取付具Ａに各種機器・部材類Ｅをさらに取り付けた状態を示す部分断面正面図を各々示している。
【００５０】
この屋根上取付具Ａが取り付けされる波形屋根としては、第１実施形態のものと同様、図例として示した折板屋根Ｙ（角波形屋根）や丸波形屋根が挙げられる。また、屋根の素材としては、金属や合成樹脂、セメント系等のものが適用できる。
【００５１】
また、屋根上取付具Ａの取付対象である折板屋根Ｙについても、第１実施形態で示した折板屋根Ｙと同一であり、その構造については、同一の符号を付して説明を省略する。
【００５２】
この屋根上取付具Ａは、一対の挟着部材１０を開閉自在に支点連結して挟着具１´を構成し、挟着具１´の作用点とされる相対向した一対の挟着片１３を相互近接させ固定して、折板屋根Ｙの頂部Ｙ１ａより突出した上向きボルトＢに挟着させる構造とした取付具であって、挟着片１３の先端に、折板屋根Ｙの頂部Ｙ１ａの上面に突出した上向きボルトＢに係止可能な係止部１４を形成したものである。
【００５３】
まず、本発明の特徴である、挟着片１３の先端に設けられた係止部１４による上向きボルトＢへの挟着構造を除く挟着具１´の全体構造について説明する。
【００５４】
挟着具１´を構成する一対の挟着部材１０のそれぞれは、中央にボルト貫通孔１１ｅが開設され、ボルト貫通孔１１ｅから一方の側端縁に至る切り溝１１ｄが形成された上板１１と、上板１１の基端より折曲して下方に延びる脚片１２と、脚片１２の下端から上板１１と略同一の方向に延びる挟着片１３とより構成されている。
【００５５】
挟着具１´は、上記２つの挟着部材１０の上板１１同士を相対向させた状態で、相互の上板１１の先端が相手の上板１１の基端の下に配されるように、上板１１の切り溝１１ｄ同士を相互差し込みして両上板１１を揺動自在に噛み合わせてボルト貫通孔１１ｅ同士を一致させ、その一致させたボルト貫通孔１１ｅに挟着具締付ボルト２１を通し、締付ナット２２を螺合することで挟着片１３の先端同士を近接させる構造となっている。
【００５６】
ここで、挟着具締付ボルト２１としては、図示するように、角根丸頭ボルトを使用すればよく、締付ナット２２としては、ハット状の座金２２ｂの頂面にナット２２ａが回動自在に取り付けられた座金付きナットを使用すればよい。ボルト止め２３は合成樹脂等より製され、孔２３ａの周縁に複数の切り込み２３ｂが形成してある。
【００５７】
以上の構造を要約すれば、２つの挟着部材１０は上板１１に形成された切り溝１１ｄで交差状に連結され、挟着具締付ボルト２１と締付ナット２２で上下から２つの上板１１を締め付けることで、切り溝１１ｄ部分を支点として力点となる上板１１の先端を拡開させ、交差状態にある両上板１１をより平板状に近づけ、それによって作用点とされる両挟着片１３を相互近接させるような変形鋏構造となっている。
【００５８】
また、さらに具体的には、図７に示すように、上板１１は平板状の基端部１１ａと、その基端部１１ａより先端側に形成された段差部１１ｃと、その段差部１１ｃよりさらに先端側に形成された、基端部１１ａよりほぼ板厚１枚分低い位置にある先端部１１ｂとを備えている。そして、上板１１のほぼ中央には、段差部１１ｃを中心に基端部１１ａと先端部１１ｂにまたがる長孔が設けてあり、この長孔が上記ボルト貫通孔１１ｅを構成している。さらに、この長孔の先端部１１ｂ側の端部側には、下向きに切り起こした押さえ爪１１ｆが形成されている。また、このボルト貫通孔１１ｅに連通する上記切り溝１１ｄは、段差部１１ｃに沿って形成されている。なお上板１１は、全体として緩い前方傾斜状となっていることが望ましい。
【００５９】
このように、段差部１１ｃを、上板１１の中央に設けたボルト貫通孔１１ｅと切り溝１１ｄとに沿って形成することで、上板１１の先端部１１ｂが開いたときに、重合した２枚の上板１１がほぼ平板状となり、かつ上板１１の基端部１１ａと相手の挟着部材１０の上板１１の先端部１１ｂとの間の隙間がより小さくなって、ぐらつくおそれのない、より安定した形状とすることができる。
【００６０】
このような屋根上取付具Ａによれば、挟着具１´が２つの挟着部材１０で構成され、それらが開閉自在に支点連結されているので、挟着具締付ボルト２１と締付ナット２２とが緩んだ状態にあるときは、２つの挟着部材１０も緩んだ状態にある。そのため、挟着片１３を閉状態に固定するためには、締付ナット２２を締め付けて上板１１同士を固定するだけでよく、施工性がよい。
【００６１】
つぎに、本発明の特徴である、屋根上取付具Ａの挟着片１３による上向きボルトＢへの挟着構造について説明する。
【００６２】
この挟着片１３の先端には、折板屋根Ｙの頂部Ｙ１ａと山座Ｃとの間に挿入される係止部１４が形成されている。この係止部１４には、パッキン収容凹部１４ａが形成されており、第１実施形態の屋根上取付具Ａのものと同様の形状となっており、よって同様の効果が奏される。なお、係止部１４周辺の拡大平面図については、図１に示したものと同様である。
【００６３】
また、屋根上取付具Ａが２つの挟着部材１０よりなる挟着具１´で構成されているため、挟着片１３を近接させると、上板１１のボルト貫通孔１１ｅに形成されたあそび等により両挟着片１３の先端が水平方向にずれるおそれがあり、そのずれ（誤差）により対向するパッキン収容凹部１４ａもずれた状態で合体して防水パッキンＣ１を強く押圧してしまうおそれがある。しかし、そのような誤差を考慮して、挟着したときに隙間Ｔができるようにパッキン収容凹部１４ａを大きく形成しておけばなんら問題はない。
【００６４】
以上のように構成した本発明の屋根上取付具Ａは、以下の要領で折板屋根Ｙに取り付けて使用する。
【００６５】
まず、屋根上取付具Ａを挟着具１´の両挟着片１３が十分に開いた状態、つまり挟着具締付ボルト２１、締付ナット２２の螺合を緩めて、２つの挟着部材１０を開閉自在に支点連結しておき、折板屋根Ｙに立設された上向きボルトＢの上方から、両挟着片１３間の間隙Ｓを通じて上向きボルトＢを嵌挿する（図８（ａ）を参照）。
【００６６】
次に、仮止め状態にしていた挟着具締付ボルト２１および締付ナット２２を締め付けていくと、揺動自在に緩んだ状態で交差状に重合していた両上板１１が平板状に近づき、それと同時に両脚片１２の下端より延びた両挟着片１３も互いに近接し、図８（ｂ）の破線で囲んだ山座Ｃの拡大平面図に示すように、これらの挟着片１３の先端に設けた係止部１４は頂部Ｙ１ａと山座Ｃとの間に挿入されて、山座Ｃを引っ掛け係止した状態となり、さらに挿入されて係止部１４（挟着片１３）の先端同士が接触する状態となる（図８（ｂ）、図９（ｃ）参照）。
【００６７】
このとき、係止部１４同士の近接によって、パッキン収容凹部１４ａが合体して１つの空間を形成し、その空間に防水パッキンＣ１が配されることとなる（図９（ｃ）の拡大平面図参照）。なお、図８（ｂ）、図９（ｃ）の山座Ｃ部分の各拡大平面図においては、防水パッキンＣ１を破線のクロスハッチングで示している。
【００６８】
このように、係止部１４には防水パッキンＣ１との抵触を回避したパッキン収容凹部１４ａが形成されているので、挟着具１´を上向きボルトＢに装着することによって防水パッキンＣ１が劣化、損傷することを防止でき、防水パッキンＣ１の機能低下を防止できる。
【００６９】
こうして折板屋根Ｙに取り付けた屋根上取付具Ａの上板１１の上方には、上板１１に立設された挟着具締付ボルト２１等によって各種機器・部材類Ｅを取り付けることができる（図９（ｄ）参照）。
【００７０】
以上、本実施形態で説明した通り、本発明の屋根上取付具Ａによれば、係止部１４により山座Ｃに引っ掛け係止できる構造となっているため、挟着片１３が外力によって上向きボルトＢから外れることを確実に防止することができる。
【００７１】
図１０は、同屋根上取付具Ａの他の施工例を示す取付前の斜視図であり、図１１は、図１０で示した屋根上取付具Ａの施工状態を示す部分断面正面図である。
【００７２】
本施工例では、図６〜図９で示した屋根上取付具Ａを用いて、折板屋根Ｙの連結構造として、折板屋根Ｙの上面に断面略円状に突出された丸ハゼ型のハゼ部Ｄによって連結されたものについて示している。
【００７３】
本施工例については、挟着片１３の先端に形成された係止部１４の構造および挟着具１´全体の構造は図６〜図９で示したものと同様であり、かつ、その挟着片１３のハゼ部Ｄに対する挟着構造は、第１実施形態の図４および図５に示したものと同様であるため、詳細な構造および効果については説明を省略する。
【００７４】
ついで、図１２を参照しながら、本発明に係る屋根上取付具Ａの第３実施形態について説明する。図１２は同実施形態を示す概略説明図であり、図１２（ａ）、（ｂ）は施工状態を示す概略正面図である。
【００７５】
この屋根上取付具Ａは、一対の挟着部材１０を開閉自在に支点連結して挟着具１´を構成し、挟着具１´の作用点とされる相対向した一対の挟着片１３を相互近接させ固定して、折板屋根Ｙの頂部Ｙ１ａより突出した上向きボルトＢに挟着させる構造としたものであって、挟着片１３の先端に、折板屋根Ｙの頂部Ｙ１ａの上面に突出した上向きボルトＢに係止可能な係止部１４を形成したものである。
【００７６】
具体的には、この屋根上取付具Ａは、上記した実施形態のものとちがって、力点である操作片１７が支点の上方にあり、上記した第２実施形態と同様に、交差状に連結された支点の下方に脚片１２と挟着片１３とが延びている。そして、操作片１７を緊締用ボルト２５、緊締用ナット２６等で締め付けることで、挟着片１３を上向きボルトＢに挟着させることができる。こうして取り付けた屋根上取付具Ａの操作片１７に、各種機器・部材類を取り付けることができる。
【００７７】
なお、本発明の特徴部分である、挟着片１３の先端に形成された係止部１４については、上記した実施形態と同一の構造であるため、その構造および効果についての説明は省略する。
【００７８】
以上の実施形態では、挟持具１、１´の係止部１４に設けたパッキン収容凹部１４ａは、挟着操作時に挟着片１３を大きく開離させなくてもいいように、防水パッキンＣ１の円弧に沿った半円よりも径の大きな湾曲形状に形成しているが（図２（ｂ）等参照）、挟着片１３を大きく開離させることが可能であれば、防水パッキンＣ１の円弧に沿った半円形状としてもよい。
【００７９】
パッキン収容凹部１４ａを防水パッキンＣ１の円弧に沿った半円とする場合には、図１３に示すように、パッキン収容凹部１４ａの内縁を含む挟着片１３の端縁にパッキン材１４ｂを固着させて、止水性を高めることが望ましい。なお図１３は、挟着片１３と防水パッキンＣ１との関係を概略的に示した平面図である。
【００８０】
特に、パッキン収容凹部１４ａの内縁に設けたパッキンは、パッキン収容凹部１４ａの内縁と、防水パッキンＣ１の周縁との間の隙間Ｔを確実に塞ぐものが望ましく、そのようなものであれば、防水パッキンＣ１がわずかに圧縮されたとしても、防水パッキンＣ１と、パッキン収容凹部１４ａの内縁に設けたパッキン材１４ｂとが密着することで一体化されたパッキンが形成されるので、防水機能の低下を回避することができる。
【符号の説明】
【００８１】
Ａ      屋根上取付具
１、１´      挟着具
１０      挟着部材
１１      上板
１２      脚片
１３      挟着片
１４      係止部
１４ａ      パッキン収容凹部
１７      操作片
２１      挟着具締付ボルト
２２      締付ナット
２３      ボルト止め
２５      緊締用ボルト
２６      緊締用ナット
Ｂ      上向きボルト
Ｂ１      軸部
Ｂ２      ナット
Ｃ      山座
Ｃ１      防水パッキン
Ｄ      ハゼ部
Ｄ１      脚部
Ｙ      折板屋根（波形屋根）
Ｙ１      山部
Ｙ１ａ      頂部
【図１】
2011111745.tif 000003
【図２】
2011111745.tif 000004
【図３】
2011111745.tif 000005
【図４】
2011111745.tif 000006
【図５】
2011111745.tif 000007
【図６】
2011111745.tif 000008
【図７】
2011111745.tif 000009
【図８】
2011111745.tif 000010
【図９】
2011111745.tif 000011
【図１０】
2011111745.tif 000012
【図１１】
2011111745.tif 000013
【図１２】
2011111745.tif 000014
【図１３】
2011111745.tif 000015
【手続補正書】
【提出日】平成22年4月14日(2010.4.14)
【手続補正１】
【補正対象書類名】明細書
【補正対象項目名】００３８
【補正方法】変更
【補正の内容】
【００３８】
このとき、係止部１４同士の近接によって、パッキン収容凹部１４ａが合体して１つの空間を形成し、その空間に防水パッキンＣ１が配されることとなる（図３（ｃ）の拡大平面図参照）。